【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
インク中の成分を凝集させる凝集剤を含む処理液を記録媒体の少なくとも記録領域に一様に付与する処理液付与手段と、
前記処理液が付与された記録媒体を予備乾燥させる予備乾燥手段であって、前記記録領域における前記処理液の水分量に分布を持たせる予備乾燥手段と、
前記予備乾燥された記録媒体の記録領域に前記インクを付与して画像を記録する画像記録手段と、
前記付与されるインクの水分量の分布を算出するインク分布算出手段と、
前記インクを付与して画像を記録した後の前記記録領域の水分量の分布を平滑化するための前記処理液の水分量の分布を算出する処理液分布算出手段と、
前記予備乾燥手段を制御し、前記処理液の水分量の分布を前記処理液分布算出手段により算出された分布とする制御手段と、
を備えた画像記録装置。
【請求項２】
前記予備乾燥手段は、前記記録領域を複数に分割した単位領域毎に予備乾燥し、
前記インク分布算出手段は、前記記録領域に付与されるインクの水分量を前記単位領域毎に算出し、
前記処理液分布算出手段は、前記単位領域毎の水分量の分布を平滑化するための該単位領域毎の前記処理液の水分量を算出する請求項１に記載の画像記録装置。
【請求項３】
前記処理液分布算出手段は、前記画像記録手段により付与されるインクの水分量と前記予備乾燥後の処理液の水分量との和が予め定められた範囲内となる前記処理液の水分量を前記単位領域毎に算出する請求項２に記載の画像記録装置。
【請求項４】
前記予備乾燥手段は、前記記録領域を加熱する加熱手段を備えた請求項１から３のいずれか１項に記載の画像記録装置。
【請求項５】
前記加熱手段は、前記記録領域に熱風を吹き付ける熱風送風手段である請求項４に記載の画像記録装置。
【請求項６】
前記加熱手段は、前記記録領域にレーザー光を照射するレーザー照射手段である請求項４又は５に記載の画像記録装置。
【請求項７】
前記加熱手段は、前記処理液が付与された記録媒体に接触して加熱するヒータ手段である請求項４から６のいずれか１項に記載の画像記録装置。
【請求項８】
前記予備乾燥手段は、前記記録領域を冷却する冷却手段を備えた請求項４から７のいずれか１項に記載の画像記録装置。
【請求項９】
前記冷却手段は、前記記録領域に冷風を吹き付ける冷風送風手段である請求項８に記載の画像記録装置。
【請求項１０】
前記冷却手段は、前記処理液が付与される前の記録媒体に接触して冷却する水冷手段である請求項８又は９に記載の画像記録装置。
【請求項１１】
インク中の成分を凝集させる凝集剤を含む処理液が少なくとも記録領域に一様に付与された記録媒体を、前記インクが付与されて画像が記録される前に予備乾燥させる予備乾燥装置において、
前記処理液が付与された記録媒体の前記記録領域における前記処理液の水分量に分布を持たせる乾燥手段と、
前記付与されるインクの水分量の分布を算出するインク分布算出手段と、
前記インクが付与されて画像が記録された後の前記記録領域の水分量の分布を平滑化するための前記処理液の水分量の分布を算出する処理液分布算出手段と、
前記乾燥手段を制御し、前記処理液の水分量の分布を前記処理液分布算出手段により算出された分布とする制御手段と、
を備えた予備乾燥装置。
【請求項１２】
インク中の成分を凝集させる凝集剤を含む処理液を記録媒体の少なくとも記録領域に一様に付与する処理液付与工程と、
前記処理液が付与された記録媒体を予備乾燥させる予備乾燥工程であって、前記記録領域における前記処理液の水分量に分布を持たせる予備乾燥工程と、
前記予備乾燥された記録媒体の記録領域に前記インクを付与して画像を記録する画像記録工程と、
前記付与されるインクの水分量の分布を算出するインク分布算出工程と、
前記インクを付与して画像を記録した後の前記記録領域の水分量の分布を平滑化するための前記処理液の水分量の分布を算出する処理液分布算出工程と、
前記予備乾燥工程において、前記処理液の水分量の分布を前記処理液分布算出工程により算出された分布とする制御工程と、
を備えた画像記録方法。
【請求項１３】
インク中の成分を凝集させる凝集剤を含む処理液が少なくとも記録領域に一様に付与された記録媒体を、前記インクが付与されて画像が記録される前に予備乾燥させる予備乾燥方法において、
前記処理液が付与された記録媒体の前記記録領域における前記処理液の水分量に分布を持たせる乾燥工程と、
前記付与されるインクの水分量の分布を算出するインク分布算出工程と、
前記インクが付与されて画像が記録された後の前記記録領域の水分量の分布を平滑化するための前記処理液の水分量の分布を算出する処理液分布算出工程と、
前記乾燥工程において、前記処理液の水分量の分布を前記処理液分布算出工程により算出された分布とする制御工程と、
を備えた予備乾燥方法。
【手続補正２】
【補正対象書類名】明細書
【補正対象項目名】００１４
【補正方法】変更
【補正の内容】
【００１４】
上記目的を達成するために、画像記録装置の一の態様は、インク中の成分を凝集させる凝集剤を含む処理液を記録媒体の少なくとも記録領域に一様に付与する処理液付与手段と、処理液が付与された記録媒体を予備乾燥させる予備乾燥手段であって、記録領域における処理液の水分量に分布を持たせる予備乾燥手段と、予備乾燥された記録媒体の記録領域にインクを付与して画像を記録する画像記録手段と、付与されるインクの水分量の分布を算出するインク分布算出手段と、インクを付与して画像を記録した後の記録領域の水分量の分布を平滑化するための処理液の水分量の分布を算出する処理液分布算出手段と、予備乾燥手段を制御し、処理液の水分量の分布を処理液分布算出手段により算出された分布とする制御手段とを備えた。
【手続補正３】
【補正対象書類名】明細書
【補正対象項目名】００２３
【補正方法】変更
【補正の内容】
【００２３】
上記目的を達成するために、予備乾燥装置の一の態様は、インク中の成分を凝集させる凝集剤を含む処理液が少なくとも記録領域に一様に付与された記録媒体を、インクが付与されて画像が記録される前に予備乾燥させる予備乾燥装置において、処理液が付与された記録媒体の記録領域における処理液の水分量に分布を持たせる乾燥手段と、付与されるインクの水分量の分布を算出するインク分布算出手段と、インクが付与されて画像が記録された後の記録領域の水分量の分布を平滑化するための処理液の水分量の分布を算出する処理液分布算出手段と、乾燥手段を制御し、処理液の水分量の分布を処理液分布算出手段により算出された分布とする制御手段とを備えた。
【手続補正４】
【補正対象書類名】明細書
【補正対象項目名】００２５
【補正方法】変更
【補正の内容】
【００２５】
上記目的を達成するために、画像記録方法の一の態様は、インク中の成分を凝集させる凝集剤を含む処理液を記録媒体の少なくとも記録領域に一様に付与する処理液付与工程と、処理液が付与された記録媒体を予備乾燥させる予備乾燥工程であって、記録領域における処理液の水分量に分布を持たせる予備乾燥工程と、予備乾燥された記録媒体の記録領域にインクを付与して画像を記録する画像記録工程と、付与されるインクの水分量の分布を算出するインク分布算出工程と、インクを付与して画像を記録した後の記録領域の水分量の分布を平滑化するための処理液の水分量の分布を算出する処理液分布算出工程と、予備乾燥工程において、処理液の水分量の分布を処理液分布算出工程により算出された分布とする制御工程とを備えた。
【手続補正５】
【補正対象書類名】明細書
【補正対象項目名】００２６
【補正方法】変更
【補正の内容】
【００２６】
上記目的を達成するために、予備乾燥方法の一の態様は、インク中の成分を凝集させるインク中の成分を凝集させる凝集剤を含む処理液が少なくとも記録領域に一様に付与された記録媒体を、インクが付与されて画像が記録される前に予備乾燥させる予備乾燥方法において、処理液が付与された記録媒体の記録領域における処理液の水分量に分布を持たせる乾燥工程と、付与されるインクの水分量の分布を算出するインク分布算出工程と、インクが付与されて画像が記録された後の記録領域の水分量の分布を平滑化するための処理液の水分量の分布を算出する処理液分布算出工程と、乾燥工程において、処理液の水分量の分布を前記処理液分布算出工程により算出された分布とする制御工程とを備えた。